【手続補正書】
【提出日】平成21年3月25日(2009.3.25)
【手続補正１】
【補正対象書類名】明細書
【補正対象項目名】０００９
【補正方法】変更
【補正の内容】
【０００９】
配信システム２３０は、適切などのような形態、プロトコル、及び／又はアーキテクチャでも同様に提供されることができる。システムリソース２１０の幾何学的な配置を具備しており、共通のネットワーク形態はメッシュ型、スター型、バス型、リング型、及びデージーチェイン型のネットワーク形態を含んでいる。配信システム２３０の形態は、複数の共通ネットワーク形態の混成、例えばネットワークツリー形態を同様に具備することができる。ネットワークプロトコルは、規則と信号の共通の設定を定めており、それらの規則と信号によりシステムリソース２１０が配信システム２３０を介して通信できる。ネットワークプロトコルの例示的な形式としては、イーサネット（登録商標）及びトークンリング型ネットワークプロトコルを含んでおり、ピアツーピア及びクライアント／サーバネットワークアーキテクチャは典型的なネットワークアーキテクチャの例示である。上記のネットワークシステム形式、形態、プロトコル、及びアーキテクチャは、単なる典型例であり、全てを網羅するものではないことは理解されるであろう。
【手続補正２】
【補正対象書類名】明細書
【補正対象項目名】００２３
【補正方法】変更
【補正の内容】
【００２３】
図４Ｂに表されているように、典型的なバイパスシステム４７０としては、２極／双投式（ＤＰＤＴ）接点構成により電子的リレーシステムとして提供されることができる。従来のリレーシステムを具備すれば、図４Ｂのバイパスシステム４７０の一方の極４７０は、第１の接点端子４７２Ａ又は第２の接点端子４７２Ｂのいずれかと係合するように制御される共通ワイパー端子４７２Ｃを含む。共通ワイパー端子４７２Ｃは、ルーティングシステム４００の入力通信ポート４１２と接続されるように示されているのに対して、第１の接点端子４７２Ａはトランシーバシステム４５０と接続される。言い換えれば、バイパスシステム４７０の極４７２は、入力通信ポート４１２とトランシーバシステム４５０との間に実質的に配置されている。バイパスシステム４７０の他の極４７４は、同じように、第１の接点端子４７４Ａ又は第２の接点端子４７４Ｂのいずれかと係合するように制御される共通ワイパー端子４７４Ｃを含む。バイパスシステム４７０の極４７４が出力通信ポート４１４Ａとトランシーバシステム４６０との間に実質的に配置されるように、共通ワイパー端子４７４Ｃと第１の接点端子４７４Ａは、出力共通ポート４１４Ａとトランシーバシステム４６０をそれぞれ接続するように示されている。第２の接点端子４７２Ｂ，４７４Ｂは、同様に接続される。
【手続補正３】
【補正対象書類名】明細書
【補正対象項目名】００２５
【補正方法】変更
【補正の内容】
【００２５】
典型的なバイパスシステム４８０としては、典型的なバイパスシステム４７０に関して上記で説明した方法の２極／双投式（ＤＰＤＴ）接点構成により同様に電子的リレーシステムとして提供することができる。バイパスシステム４８０は、第１の接点端子４８２Ａ又は第２の接点端子４８２Ｂのいずれかと係合するように制御され得る共通ワイパー端子４８２Ｃを伴う一方の極４８２を有する従来のリレーシステムを具備することができる。共通ワイパー端子４８２Ｃは、ルーティングシステム４００の第１の出力通信ポート４１４Ｉと接続するように示されているのに対して、第１の接点端子４８２Ａはトランシーバシステム４６０と接続している。同様に、バイパスシステム４８０の他方の極４８４は、第１の接点端子４８４Ａ又は第２の接点端子４８４Ｂのいずれかと係合するように制御され得る共通ワイパー端子４８４Ｃを含む。共通ワイパー端子４８４Ｃ及び第１の接点端子４８４Ａは、第２の出力通信ポート４１４Ｊ及びトランシーバシステム４６０とそれぞれに接続されるように示されている。第２の接点端子４８２Ｂ，４８４Ｂは同様に接続されている。
【手続補正４】
【補正対象書類名】明細書
【補正対象項目名】００２８
【補正方法】変更
【補正の内容】
【００２８】
一方、及び／又は追加して、ルーティングシステム４００は、（図２に示されている）複数のシステムリソース２１０に電力を分配するための電力システム４９０を含むことができる。図５に転じると、例えば、電力システム４９０は、２つ以上の入力電力ポート４１６及び少なくとも１つの電力出力ポート４１８を含む複数の電力ポートを有するように示されている。電力システム４９０は、如何なる適切な数の入力電力ポート４１６も含むことができ、それぞれは関連する入力電力接続２４６を介して選択されたシステムリソース２１０から入力電力信号３３０を受信するよう構成されている。図５に示されているように、電力システム４９０は、入力電力通信接続２４６Ａ−Ｍを介してＭ個選択されたシステムリソース２１０から入力電力信号３３０Ａ−Ｍを受信するための入力電力ポート４１６Ａ−Ｍを含むことができる。好ましくは、実質的に同一の入力電力信号を具備していれば、入力電力信号３３０Ａ−Ｍは、必要に応じて、直流（ＤＣ）電圧及び／又は交流（ＡＣ）電圧を含む、適切な電圧レベル、及び／又は電流レベルを提供できる。
【手続補正５】
【補正対象書類名】明細書
【補正対象項目名】００３１
【補正方法】変更
【補正の内容】
【００３１】
電力変換システム４９２は、必要に応じて、入力電力ポート４１６及び／又は電力出力ポート４１８に直接的に、及び／又は間接的に接続できる。図５に表されているように、例えば、電力変換システム４９２は、入力電力接続／保護システム４９４を介して入力電力ポート４１６に接続できるのに対して、出力電力接続／保護システム４９６は電力変換システム４９２と電力出力ポート４１８とを接続することができる。複数の選択されたシステムリソース２１０からの入力電力信号３３０を受信しており、入力電力接続／保護システム４９４は、電力変換システム４９２のために適切な入力電力信号３３０を単一の入力電力信号に組み込むことができる。入力電力接続／保護システム４９４は、同様に、従来の入力電圧保護、例えば過電圧保護を提供することができる。例えば、入力電力接続／保護システム４９４には、１つの選択されたシステムリソース２１０の入力電力信号３３０を、他の選択されたシステムリソース２１０にフィードバックされるのを禁止するためのフィードバック保護回路、例えばダイオードアレイを含むことができる。
【手続補正６】
【補正対象書類名】明細書
【補正対象項目名】００４５
【補正方法】変更
【補正の内容】
【００４５】
各ＳＥＢループバック接続７７０は、図７に示されているように、選択されたフロア遮断ボックス（ＦＤＢ）７３０の出力通信ポート４１４Ａと関連する最後のデージーチェインで結合されたシート電子ボックス（ＳＥＢ）７４０と、選択された同じフロア遮断ボックス（ＦＤＢ）７３０の出力通信ポート４１４Ｊと関連する最後のデージーチェインで結合されたシート電子ボックス（ＳＥＢ）７４０とを直接的に接続する通信接続である。そのため、各ＳＥＢループバック接続７７０は、該当するフロア遮断ボックス（ＦＤＢ）７３０に接続されたデージーチェイン結合のシート電子ボックス（ＳＥＢｓ）７４０においてループバック径路を形成する。図７に示されているように、ＳＥＢループバック接続７７０ＡＤは、フロア遮断ボックス（ＦＤＢ）７３０Ｃと関連する、シート電子ボックス（ＳＥＢ）７４０Ａとシート電子ボックス（ＳＥＢ）７４０Ｅを接続する。同様に、フロア遮断ボックス（ＦＤＢ）７３０Ｄと関連する、シート電子ボックス（ＳＥＢ）７４０Ｅとシート電子ボックス（ＳＥＢ）７４０Ｈは、図７に表されているように、ＳＥＢループバック接続７７０ＥＨを介して接続される。
【手続補正７】
【補正対象書類名】明細書
【補正対象項目名】００５４
【補正方法】変更
【補正の内容】
【００５４】
（図８Ｂに示されているように）バイパス径路７８６に関して上記で説明した方法において、バイパス径路７８８は第２のエリア配信ボックス（ＡＤＢ）７２０Ｂで始めることができ、そしてフロア配信ボックス（ＦＤＢ）７３０Ｄの入力通信ポート４１２に向かうことができる。フロア遮断ボックス（ＦＤＢ）７３０Ｄの通信ポート４１２，４１４Ａがバイパスシステム４７０を介して接続されているので、バイパス径路７８８は、フロア遮断ボックス（ＦＤＢ）７３０Ｄの出力通信ポート４１４Ａに続く。デージーチェインで結合されたシート電子ボックス（ＳＥＢｓ）７４０Ｇ，７４０Ｈを通して、バイパス径路７８８は、ＳＥＢループバック接続７７０ＥＨに到達し、そしてデージーチェインで接続されたシート電子ボックス（ＳＥＢｓ）７４０Ｅ，７４０Ｆにフィードバックされる。バイパス径路７８８がＦＤＢ内部ポートバイパス接続７６０ＣＤを介して続くように、そしてフロア配信ボックス（ＦＤＢ）７３０Ｃに延びるように、フロア遮断ボックス（ＦＤＢ）７３０Ｄの出力通信ポート４１４Ｉ，４１４Ｊは、同様に、接続される。バイパス径路７８８は、フロア遮断ボックス（ＦＤＢ）７３０Ｃの接続された出力通信ポート４１４Ｉ，４１４Ｊを横切って続き、そのためデージーチェインで接続されたシート電子ボックス（ＳＥＢｓ）７４０Ｃ，７４０Ｄに到達する。デージーチェインで接続されたシート電子ボックス（ＳＥＢｓ）７４０Ｃ，７４０Ｄを通して、バイパス径路７８８は、ＳＥＢループバック接続７７０ＡＤに到達し、そしてデージーチェインで接続されたシート電子ボックス（ＳＥＢｓ）７４０Ａ，７４０Ｂにフィードバックされる。
【手続補正８】
【補正対象書類名】図面
【補正対象項目名】図２
【補正方法】変更
【補正の内容】
【図２】
2008537666.tif 000001
【手続補正９】
【補正対象書類名】図面
【補正対象項目名】図４Ｂ
【補正方法】変更
【補正の内容】
【図４Ｂ】
2008537666.tif 000002